(57)【特許請求の範囲】
【請求項１】
トレッド面における赤道線の両側にタイヤ周方向に沿って延びる複数の主溝が設けられた空気入りタイヤにおいて、
一端部がタイヤ幅方向の最も外側に位置する前記主溝に連通して他端部がタイヤ接地端に連通しないタイヤ幅方向に沿って延びる第１ラグ溝と、一端部がタイヤ幅方向の最も外側に位置する前記主溝に連通せずに他端部がタイヤ接地端に連通するタイヤ幅方向に沿って延びる第２ラグ溝とがタイヤ周方向に交互に複数設けられ、
タイヤ幅方向の最も外側に位置する前記主溝と前記タイヤ接地端との間にある前記第１ラグ溝と前記第２ラグ溝が途中で切れ、且つ、前記第１ラグ溝と前記第２ラグ溝の端部同士がタイヤ幅方向で所定の重なり代を有して、タイヤ周方向で連続する陸部を形成すると共に、
前記第１ラグ溝の他端部からタイヤ接地端までの長さをＬ１とし、前記タイヤ幅方向の最も外側に位置する前記主溝から前記第２ラグ溝の一端部までの長さをＬ２とし、タイヤ幅方向の最も外側に位置する前記主溝からタイヤ接地端までの長さをＬＷとするとき、
０．１＜Ｌ１／ＬＷ≦０．４５
０．１＜Ｌ２／ＬＷ≦０．４５
の条件を満たすことを特徴とする空気入りタイヤ。
【請求項２】
請求項１に記載の空気入りタイヤにおいて、前記第１ラグ溝と前記第２ラグ溝の重なり代は、タイヤ幅方向の最も外側に位置する前記主溝からタイヤ接地端までのタイヤ幅方向の長さの１０％以上に設定されることを特徴とする空気入りタイヤ。
【請求項３】
請求項１または２に記載の空気入りタイヤにおいて、タイヤ接地幅をＴＷとし、赤道面からタイヤ幅方向の最も外側に位置する前記主溝の外側側壁までの長さをＬ０とするとき、
０．３（ＴＷ／２）＜Ｌ０≦０．６（ＴＷ／２）
の条件を満たすことを特徴とする空気入りタイヤ。
【請求項４】
請求項１から３のいずれか一つに記載の空気入りタイヤにおいて、タイヤ幅方向の最も外側に位置する前記主溝の幅は、５ｍｍ以上で２０ｍｍ以下に設定され、前記第１ラグ溝及び前記第２ラグ溝の幅は、１．５ｍｍ以上で８．０ｍｍ以下に設定されることを特徴とする空気入りタイヤ。
【請求項５】
請求項１から４のいずれか一つに記載の空気入りタイヤにおいて、前記第１ラグ溝及び前記第２ラグ溝は、タイヤ周方向に沿ってそれぞれ４５本から９０本の範囲で設けられることを特徴とする空気入りタイヤ。
【請求項６】
請求項１から５のいずれか一つに記載の空気入りタイヤにおいて、前記第２ラグ溝の幅は、前記第１ラグ溝の幅より大きく設定されることを特徴とする空気入りタイヤ。
【請求項７】
請求項６に記載の空気入りタイヤにおいて、前記第２ラグ溝の幅は、前記第１ラグ溝の幅の１．２倍から２．５倍に設定されることを特徴とする空気入りタイヤ。
【請求項８】
請求項１から６のいずれか一つに記載の空気入りタイヤにおいて、前記複数の第１ラグ溝の他端部とタイヤ接地端との間に、少なくとも一端部が前記第２ラグ溝に連通しない閉塞溝がタイヤ周方向に沿って設けられることを特徴とする空気入りタイヤ。
【請求項９】
請求項８に記載の空気入りタイヤにおいて、前記閉塞溝は、両端部が前記第２ラグ溝に連通せず、長さが前記第２ラグ溝のピッチの３５％から７０％の範囲にあり、且つ、各端部から前記第２ラグ溝までの長さが５ｍｍ以上に設定されることを特徴とする空気入りタイヤ。
【請求項１０】
請求項７または８に記載の空気入りタイヤにおいて、前記閉塞溝からタイヤ接地端までの長さが５ｍｍから１５ｍｍに設定されることを特徴とする空気入りタイヤ。
【発明の詳細な説明】
【技術分野】
【０００１】
本発明は、一般的な乗用車に装着されるタイヤとして好適な空気入りタイヤに関するものである。
【背景技術】
【０００２】
従来の空気入りタイヤでは、雨などで濡れた路面での走行安定性を確保するため、排水性の向上が重要な要素となることから、一般的にタイヤ周方向に沿って形成されたストレート主溝を形成することにより、排水性の向上を図っている。しかし、このストレート主溝は、気柱共鳴騒音の抑制が困難であるため、騒音の低減を図ることが困難なものとなっていた。そこで、従来の空気入りタイヤでは、形状の異なる主溝を複数設けることにより、排水性と静粛性の性能を両立させているものがある。
【０００３】
例えば、下記特許文献１に記載された空気入れタイヤでは、ストレート主溝をタイヤ幅方向の中央に配置し、このストレート主溝におけるタイヤ幅方向の両側に複数の弧状溝がタイヤ周方向に連続的に繰り返すように形成された弧状湾曲主溝を配置し、この弧状湾曲主溝におけるタイヤ幅方向の外側に溝幅の狭い補助溝を配置し、更に、この補助溝を斜めに横切るように複数の傾斜溝を配置している。従って、排水性を確保しつつ、騒音性能を向上することができる。
【０００４】
【特許文献１】特開２００４−１６８１４２号公報
【発明の開示】
【発明が解決しようとする課題】
【０００５】
ところが、上述した特許文献１に記載された従来の空気入りタイヤにあっては、タイヤ周方向に沿ってストレート主溝と弧状湾曲主溝と補助溝を配置すると共に、補助溝を斜めに横切る複数の傾斜溝を配置することで、排水性と騒音性能を向上することができる。ところが、この場合、複数の傾斜溝を配置することで高い排水性を確保することができるものの、弧状湾曲主溝や補助溝で発生する気柱共鳴騒音が高周波ロードノイズとして複数の傾斜溝から外側に伝達され、騒音が発生しやすい。
【０００６】
本発明は、このような問題を解決するためのものであって、高い排水性を維持することで走行安定性を向上すると共に騒音の発生を抑制することで静粛性を向上する空気入りタイヤを提供することを目的とする。
【課題を解決するための手段】
【０００７】
上述した課題を解決し、目的を達成するために、請求項１の発明の空気入りタイヤは、トレッド面における赤道線の両側にタイヤ周方向に沿って延びる複数の主溝が設けられた空気入りタイヤにおいて、一端部がタイヤ幅方向の最も外側に位置する前記主溝に連通して他端部がタイヤ接地端に連通しないタイヤ幅方向に沿って延びる第１ラグ溝と、一端部がタイヤ幅方向の最も外側に位置する前記主溝に連通せずに他端部がタイヤ接地端に連通するタイヤ幅方向に沿って延びる第２ラグ溝とがタイヤ周方向に交互に複数設けられ、タイヤ幅方向の最も外側に位置する前記主溝と前記タイヤ接地端との間にある前記第１ラグ溝と前記第２ラグ溝が途中で切れ、且つ、前記第１ラグ溝と前記第２ラグ溝の端部同士がタイヤ幅方向で所定の重なり代を有して、タイヤ周方向で連続する陸部を形成すると共に、前記第１ラグ溝の他端部からタイヤ接地端までの長さをＬ１とし、前記タイヤ幅方向の最も外側に位置する前記主溝から前記第２ラグ溝の一端部までの長さをＬ２とし、タイヤ幅方向の最も外側に位置する前記主溝からタイヤ接地端までの長さをＬＷとするとき、
０．１＜Ｌ１／ＬＷ≦０．４５
０．１＜Ｌ２／ＬＷ≦０．４５
の条件を満たすことを特徴としている。
【０００８】
請求項２の発明の空気入りタイヤでは、前記第１ラグ溝と前記第２ラグ溝の重なり代は、タイヤ幅方向の最も外側に位置する前記主溝からタイヤ接地端までのタイヤ幅方向の長さの１０％以上に設定されることを特徴としている。
【００１０】
請求項３の発明の空気入りタイヤでは、タイヤ接地幅をＴＷとし、赤道面からタイヤ幅方向の最も外側に位置する前記主溝の外側側壁までの長さをＬ０とするとき、
０．３（ＴＷ／２）＜Ｌ０≦０．６（ＴＷ／２）
の条件を満たすことを特徴としている。
【００１１】
請求項４の発明の空気入りタイヤでは、タイヤ幅方向の最も外側に位置する前記主溝の幅は、５ｍｍ以上で２０ｍｍ以下に設定され、前記第１ラグ溝及び前記第２ラグ溝の幅は、１．５ｍｍ以上で８．０ｍｍ以下に設定されることを特徴としている。
【００１２】
請求項５の発明の空気入りタイヤでは、前記第１ラグ溝及び前記第２ラグ溝は、タイヤ周方向に沿ってそれぞれ４５本から９０本の範囲で設けられることを特徴としている。
【００１３】
請求項６の発明の空気入りタイヤでは、前記第２ラグ溝の幅は、前記第１ラグ溝の幅より大きく設定されることを特徴としている。
【００１４】
請求項７の発明の空気入りタイヤでは、前記第２ラグ溝の幅は、前記第１ラグ溝の幅の１．２倍から２．５倍に設定されることを特徴としている。
【００１５】
請求項８の発明の空気入りタイヤでは、前記複数の第１ラグ溝の他端部とタイヤ接地端との間に、少なくとも一端部が前記第２ラグ溝に連通しない閉塞溝がタイヤ周方向に沿って設けられることを特徴としている。
【００１６】
請求項９の発明の空気入りタイヤでは、前記閉塞溝は、両端部が前記第２ラグ溝に連通せず、長さが前記第２ラグ溝のピッチの３５％から７０％の範囲にあり、且つ、各端部から前記第２ラグ溝までの長さが５ｍｍ以上に設定されることを特徴としている。
【００１７】
請求項１０の発明の空気入りタイヤでは、前記閉塞溝からタイヤ接地端までの長さが５ｍｍから１５ｍｍに設定されることを特徴としている。
【発明の効果】
【００１８】
請求項１の発明の空気入りタイヤによれば、トレッド面における赤道線の両側に複数の主溝を設けると共に、一端部がタイヤ幅方向の最も外側に位置する主溝に連通して他端部がタイヤ接地端に連通しないタイヤ幅方向に沿って延びる第１ラグ溝と、一端部がタイヤ幅方向の最も外側に位置する主溝に連通せずに他端部がタイヤ接地端に連通するタイヤ幅方向に沿って延びる第２ラグ溝とをタイヤ周方向に交互に複数設け、タイヤ幅方向の最も外側に位置する前記主溝と前記タイヤ接地端との間にある前記第１ラグ溝と前記第２ラグ溝が途中で切れ、且つ、第１ラグ溝と第２ラグ溝の端部同士がタイヤ幅方向で所定の重なり代を有して、タイヤ周方向で連続する陸部を形成している。従って、主溝と第１、第２ラグ溝を設けることで、高い排水性を維持して走行安定性を向上することができると共に、主溝とタイヤ接地端との間にある第１ラグ溝と第２ラグ溝が途中で切れ、且つ、第１ラグ溝と第２ラグ溝に重なり代があることから、主溝で発生した気柱共鳴騒音が高周波ロードノイズとして複数のラグ溝から外側に伝達されることが抑制され、騒音の発生を抑制することで静粛性を向上することができる。しかも、この空気入りタイヤによれば、第１ラグ溝の他端部からタイヤ接地端までの長さＬ１と、主溝から第２ラグ溝の一端部までの長さＬ２と、主溝からタイヤ接地端までの長さＬＷの関係を、
０．１＜Ｌ１／ＬＷ≦０．４５
０．１＜Ｌ２／ＬＷ≦０．４５
とするので、第１ラグ溝と第２ラグ溝の重なり代を適正領域とすることで、排水性と静粛性の両立を可能とすることができる。この場合、第１ラグ溝と第２ラグ溝の重なり代が所定範囲より小さいときには、排水性が低下するおそれがあり、第１ラグ溝と第２ラグ溝の重なり代が所定領域より大きいときには、摩耗により静粛性が低下してしまうおそれがある。
【００１９】
請求項２の発明の空気入りタイヤによれば、第１ラグ溝と第２ラグ溝の重なり代を、タイヤ幅方向の最も外側に位置する主溝からタイヤ接地端までのタイヤ幅方向の長さの１０％以上に設定するので、第１ラグ溝と第２ラグ溝の重なり代を十分に確保することで、排水性を向上することができると共に、騒音の発生を抑制することができる。
【００２１】
請求項３の発明の空気入りタイヤによれば、タイヤ接地幅ＴＷと、赤道面から主溝の外側側壁までの長さＬ０の関係を、
０．３（ＴＷ／２）＜Ｌ０≦０．６（ＴＷ／２）
とするので、主溝を赤道線側に近づいた位置に設けることとなり、排水性を向上することができる。
【００２２】
請求項４の発明の空気入りタイヤによれば、主溝の幅を５ｍｍ以上で２０ｍｍ以下に設定し、第１ラグ溝及び第２ラグ溝の幅を１．５ｍｍ以上で８．０ｍｍ以下に設定するので、主溝の幅と各ラグ溝の幅を適正値とすることで、排水性と静粛性の両立を可能とすることができる。
【００２３】
請求項５の発明の空気入りタイヤによれば、第１ラグ溝及び第２ラグ溝をタイヤ周方向に沿ってそれぞれ４５本から９０本の範囲で設けるので、各ラグ溝のピッチを適正値とすることで、静粛性を向上することができると共に、陸部の剛性の低下を抑制して耐久性を向上することができる。この場合、第１ラグ溝及び第２ラグ溝が所定本数より少ないときには、陸部の剛性が高すぎてパターンノイズが悪化するおそれがあり、第１ラグ溝及び第２ラグ溝が所定本数より多いときには、陸部の剛性が低すぎて操縦安定性が悪化するおそれがある。
【００２４】
請求項６の発明の空気入りタイヤによれば、第２ラグ溝の幅を第１ラグ溝の幅より大きく設定するので、第１ラグ溝を細くすることで、パターンノイズの悪化を抑制することができると共に、第２ラグ溝を太くすることで、排水性を向上することができる。
【００２５】
請求項７の発明の空気入りタイヤによれば、第２ラグ溝の幅を第１ラグ溝の幅の１．２倍から２．５倍に設定するので、第２ラグ溝を適正値にすることで、十分な排水性を確保することができると共に、パターンノイズの悪化を抑制することができる。
【００２６】
請求項８の発明の空気入りタイヤによれば、複数の第１ラグ溝の他端部とタイヤ接地端との間に、少なくとも一端部が第２ラグ溝に連通しない閉塞溝をタイヤ周方向に沿って設けるので、主溝とタイヤ接地端との間に形成される陸部の剛性を低下させて乗心地を良好にすることができると共に、静粛性を確保することができる。
【００２７】
請求項９の発明の空気入りタイヤによれば、閉塞溝の両端部が第２ラグ溝に連通せず、その長さを第２ラグ溝のピッチの３５％から７０％の範囲とし、且つ、各端部から第２ラグ溝までの長さを５ｍｍ以上に設定するので、閉塞溝の位置を適正位置とすることで、パターンノイズの悪化を抑制することができると共に、良好な乗心地を確保することができる。この場合、閉塞溝の長さが所定領域より小さいときには、良好な乗心地を確保することができないおそれがあり、閉塞溝の長さが所定領域より大きいときには、ショルダー部の曲げ剛性が低下してロードノイズが悪化するおそれがあり、また、閉塞溝の端部から第２ラグ溝までの長さが所定値より小さいときには、摩耗により静粛性が低下してしまうおそれがある。
【００２８】
請求項１０の発明の空気入りタイヤによれば、閉塞溝からタイヤ接地端までの長さを５ｍｍから１５ｍｍに設定するので、乗心地と静粛性の両立を可能とすることができる。この場合、閉塞溝からタイヤ接地端までの長さが所定範囲より小さいときには、陸部の剛性が高すぎて摩耗が促進してしまうおそれがあり、閉塞溝からタイヤ接地端までの長さが所定範囲より大きいときには、乗心地が低下してしまうおそれがある。
【発明を実施するための最良の形態】
【００２９】
以下に、本発明に係る空気入りタイヤの実施例を図面に基づいて詳細に説明する。なお、この実施例によりこの発明が限定されるものではない。
【実施例１】
【００３０】
図１は、本発明の実施例１に係る空気入りタイヤを表すトレッド部の平面図、図２は、実施例１の空気入りタイヤを表す概略断面図である。
【００３１】
なお、以下の説明において、タイヤ幅方向とは、空気入りタイヤの回転軸と平行な方向であり、タイヤ幅方向内方とは、タイヤ幅方向において赤道面（赤道線）に向かう方向であり、タイヤ幅方向外方とは、タイヤ幅方向において赤道面（赤道線）に向かう方向の反対方向である。また、タイヤ径方向とは、空気入りタイヤの回転軸と直交する方向であり、タイヤ周方向とは、空気入りタイヤの回転軸を回転の中心として回転する方向である。更に、タイヤ内側とは、空気入りタイヤを正規リムにリム組みして車体に装着したとき、この車体の内側に位置する方向であり、タイヤ外側とは、このとき、車体の外側に位置する方向である。
【００３２】
実施例１において、図１及び図２に示すように、この空気入りタイヤ１１は、トレッド部とその両側に連続するショルダー部とサイドウォール部とビード部から構成されている。そして、このトレッド部は、タイヤ径方向の最も外側に形成されており、このトレッド部の表面、即ち、この空気入りタイヤ１１を装着する車両（図示省略）が走行した場合に、路面と接触する面がトレッド面１２として形成されている。そして、このトレッド面１２には、赤道線Ｏ１に対して、タイヤ幅方向外側の所定位置に左右一対の接地端１３が設定されており、接地端１３の間隔が接地幅ＴＷとして設定されている。本実施例では、図１及び図２にて、左側がタイヤ内側であり、右側がタイヤ外側となっている。
【００３３】
ここで、接地幅ＴＷとは、空気入りタイヤ１１を正規リムにリム組みし、且つ、正規内圧を充填するとともに正規荷重をかけたときに、この空気入りタイヤ１１が路面と接地するときのタイヤ幅方向の幅である。ここで、正規リムとは、ＪＡＴＭＡで規定する「標準リム」、ＴＲＡで規定する「Design Rim」、あるいは、ＥＴＲＴＯで規定する「Measuring Rim」である。また、正規内圧とは、ＪＡＴＭＡで規定する「最高空気圧」、ＴＲＡで規定する「TIRE LOAD LIMITS AT VARIOUS COLD INFLATION PRESSURES」に記載の最大値、あるいはＥＴＲＴＯで規定する「INFLATION PRESSURES」である。また、正規荷重とは、ＪＡＴＭＡで規定する「最大負荷能力」、ＴＲＡで規定する「TIRE LOAD LIMITS AT VARIOUS COLD INFLATION PRESSURES」に記載の最大値、あるいはＥＴＲＴＯで規定する「LOAD CAPACITY」である。
【００３４】
空気入りタイヤ１１は、トレッド面１２には、赤道線Ｏ１の両側に位置して、タイヤ周方向に沿って延びる複数の主溝、つまり、第１主溝２１と第２主溝２２が設けられている。この第１主溝２１及び第２主溝２２は、赤道線Ｏ１と平行なストレート主溝となっている。そして、各第１主溝２１におけるタイヤ幅方向内方側に、複数の突起溝２３がタイヤ周方向に所定間隔で設けられ、各第２主溝２２におけるタイヤ幅方向内方側に、複数の傾斜溝２４がタイヤ周方向に所定間隔で設けられている。この場合、対向する左右の突起溝２３同士は、その傾斜方向が逆方向であり、また、対向する左右の傾斜溝２４同士も、その傾斜方向が逆方向である。
【００３５】
この場合、各第２主溝２２が、空気入りタイヤ１１のタイヤ幅方向の最も外側に位置する主溝となっており、赤道線Ｏ１から一方の接地端１３のまでの長さをＴＷ／２とするとき、この第２主溝２２の位置、つまり、赤道面Ｏ１から第２主溝２２の外側側壁２２ａまでの長さＬ０は、下記に表す条件を満たす位置となっている。
０．３（ＴＷ／２）＜Ｌ０≦０．６（ＴＷ／２）
なお、好ましくは、下記に表す条件を満たす位置とするとよい。
０．３３（ＴＷ／２）＜Ｌ０＜０．５５（ＴＷ／２）
また、第２主溝２２の幅は、５ｍｍ以上で２０ｍｍ以下に設定することが好ましい。
【００３６】
なお、本実施例では、トレッド面１２における赤道線Ｏ１の両側にタイヤ周方向に沿って延びる２つの主溝２１，２２を設けており、各第２主溝２２が、空気入りタイヤ１１のタイヤ幅方向の最も外側に位置する主溝となっている。この場合、主溝の数は、片側２つに限らず、３つ以上設けてもよいものである。
【００３７】
第２主溝２２とタイヤ接地端１３との間には、タイヤ幅方向に沿って延びる第１ラグ溝２５と第２ラグ溝２６がタイヤ周方向に交互に複数設けられている。第１ラグ溝２５は、一端部２５ａがタイヤ幅方向の最も外側に位置する第２主溝２２に連通し、他端部２５ｂがタイヤ接地端１３に連通せず、タイヤ幅方向に沿って延びると共にタイヤ周方向に湾曲した形状となっている。第２ラグ溝２６は、一端部２６ａがタイヤ幅方向の最も外側に位置する第２主溝２２に連通せず、他端部２６ｂがタイヤ接地端１３に連通し、タイヤ幅方向に沿って延びると共にタイヤ周方向に湾曲した形状となっている。この場合、タイヤ内側（図１にて左側）とタイヤ外側（図１にて右側）とで、第１ラグ溝２５と第２ラグ溝２６の湾曲方向が逆方向となっている。
【００３８】
そして、第１ラグ溝２５と第２ラグ溝２６の端部同士、つまり、第１ラグ溝２５の他端部２５ｂと第２ラグ溝２６の一端部２６ａがタイヤ幅方向で重なり、所定の重なり代Ｌ３が設定されている。この第１ラグ溝２５と第２ラグ溝２６の端部同士の重なり代Ｌ３は、第２主溝２２からタイヤ接地端１３までのタイヤ幅方向の長さＬＷの１０％以上に設定されている。
【００３９】
具体的には、第１ラグ溝２５の他端部２５ｂからタイヤ接地端１３までの長さをＬ１とし、第２主溝２２から第２ラグ溝２６の一端部２６ａまでの長さをＬ２とし、第２主溝２２からタイヤ接地端１３までの長さをＬＷとするとき、第１ラグ溝２５と第２ラグ溝２６の位置は、下記に表す条件を満たす位置となっている。
０．１＜Ｌ１／ＬＷ≦０．４５
０．１＜Ｌ２／ＬＷ≦０．４５
なお、好ましくは、下記に表す条件を満たす位置となっている。
０．３＜Ｌ１／ＬＷ＜０．４
０．２＜Ｌ２／ＬＷ＜０．４
【００４０】
また、第１ラグ溝２５及び第２ラグ溝２６の幅は、１．５ｍｍ以上で８．０ｍｍ以下に設定され、好ましくは、１．８ｍｍ以上で４．０ｍｍ以下にするとよい。更に、第１ラグ溝２５及び第２ラグ溝２６は、タイヤ周方向に沿ってそれぞれ４５本から９０本の範囲で設けられている。この場合、第１ラグ溝２５のピッチ長、第２ラグ溝２６のピッチ長、または、第１ラグ溝２５と第２ラグ溝２６のピッチ長を変化させつつ配列することが好ましい。即ち、第１ラグ溝２５と第２ラグ溝２６の周方向に配置に関し、ピッチバリエーション構造を採用することが好ましい。これにより、パターンノイズ低減されてタイヤの騒音性能が向上する利点がある。
【００４１】
ここで、比較例と実施例１とにおける排水性（操縦安定性）と静粛性（ロードノイズの発生）について比較する。この場合、下記表１に示すように、比較例１の空気入りタイヤは、全てのラグ溝の一端部が主溝に連通し、他端部がタイヤ接地端に連通したものである。また、比較例２の空気入りタイヤは、第１ラグ溝の一端部が第２主溝に連通して他端部がタイヤ接地端に連通せず、第２ラグ溝の一端部が第２主溝に連通せずに他端部がタイヤ接地端に連通するものの、第１ラグ溝と第２ラグ溝の重なり代がないものである。一方、実施例１の空気入りタイヤ１１は、第１ラグ溝２５の一端部が第２主溝２２に連通して他端部がタイヤ接地端１３に連通せず、第２ラグ溝２６の一端部が第２主溝２２に連通せずに他端部がタイヤ接地端１３に連通し、第１ラグ溝２５と第２ラグ溝２６に所定の重なり代があるものである。
【００４２】
【表１】
0004291861.tif 000002
【００４３】
比較例１、２と実施例１を比較してみると、実施例１の空気入りタイヤ１１は、比較例１の空気入りタイヤに比べて静粛性が向上しており、比較例２の空気入りタイヤに比べて排水性及び静粛性が向上していることがわかる。即ち、実施例１及び実施例１−１〜実施例１−５の実験結果から、第１ラグ溝２５と第２ラグ溝２６を重ね、好ましくは、その重なり代を１０％以上に設定することで、排水性及び静粛性が大幅に向上することがわかる。また、Ｌ１／ＬＷ及びＬ２／ＬＷを０．１より大きく、且つ、０．４５より小さい値に設定することで、排水性及び静粛性が向上することがわかる。更に、Ｌ０を０．３（ＴＷ／２）より大きく、且つ、０．６（ＴＷ／２）小さい値に設定することで、排水性及び静粛性が大幅に向上することがわかる。また、主溝２２の幅、ラグ溝２５，２６の幅及び本数を適正範囲とすることで、排水性及び静粛性（ロードノイズ）が向上することがわかる。
【００４４】
なお、タイヤの排水性（操縦安定性）と静粛性（ロードノイズの発生）の評価を実施するための条件及び方法は、下記のものとなっている。
１）評価タイヤサイズ
２１５／６０Ｒ１６
２）タイヤの排水性（操縦安定性）の評価方法
国産３．０リットルクラスのセダン型乗用車に本実施例のタイヤを装着し、濡れた路面を走行したとき、ドライバーが官能評価により操縦安定性について１０点満点で評価する。この場合、５人のドライバーによる評価を平均したものを評価点とする。なお、評価点が高いほど操縦安定性が優れたものとなる。
３）静粛性（ロードノイズの発生）の評価
国産３．０リットルクラスのセダン型乗用車に本実施例のタイヤを装着し、荒れた路面を６０ｋｍ／ｈで走行したとき、運転席側の窓付近で１ｋＨｚ帯の音圧レベルを指数化して評価する。なお、評価点が低いほど静粛性が優れたものとなる。
【００４５】
このように実施例１の空気入りタイヤ１１にあっては、トレッド面１２における赤道線Ｏ１の両側にタイヤ周方向に沿って延びる第１主溝２１及び第２主溝２２を設け、一端部２５ａがタイヤ幅方向の最も外側に位置する第２主溝２２に連通して他端部２５ｂがタイヤ接地端１３に連通しないタイヤ幅方向に沿って延びる第１ラグ溝２５と、一端部２６ａが第２主溝２２に連通せずに他端部２６ｂがタイヤ接地端１３に連通するタイヤ幅方向に沿って延びる第２ラグ溝２６とをタイヤ周方向に交互に複数設け、第１ラグ溝２５と第２ラグ溝２６の端部同士をタイヤ幅方向で重なる所定の重なり代を設けている。
【００４６】
従って、第２主溝２２と第１、第２ラグ溝２５，２６を設けることで、高い排水性を維持して走行安定性を向上することができると共に、第２主溝２２とタイヤ接地端１３との間にある第１ラグ溝２５と第２ラグ溝２６が途中で切れ、且つ、第１ラグ溝２５と第２ラグ溝２６に重なり代があることから、第２主溝２２で発生した気柱共鳴騒音が高周波ロードノイズ（８００Ｈｚ〜１ｋＨｚ）として複数のラグ溝２５，２６から外側に伝達されるが抑制され、騒音の発生を抑制することで静粛性を向上することができる。
【００４７】
また、実施例１の空気入りタイヤ１１では、第１ラグ溝２５と第２ラグ溝２６の重なり代を、第２主溝２２からタイヤ接地端１３までのタイヤ幅方向の長さの１０％以上に設定されており、好ましくは、８０％以下設けるとよい。従って、第１ラグ溝２５と第２ラグ溝２６の重なり代を十分に確保することで、排水性を向上することができると共に、騒音の発生を抑制することができる。
【００４８】
具体的に、第１ラグ溝２５の他端部２５ｂからタイヤ接地端１３までの長さＬ１と、第２主溝２２から第２ラグ溝２６の一端部２６ａまでの長さＬ２と、第２主溝２２からタイヤ接地端１３までの長さＬＷの関係を下記のように設定している。
０．１＜Ｌ１／ＬＷ≦０．４５
０．１＜Ｌ２／ＬＷ≦０．４５
【００４９】
従って、第１ラグ溝２５と第２ラグ溝２６の重なり代を適正領域とすることで、排水性と静粛性の両立を可能とすることができる。この場合、第１ラグ溝２５と第２ラグ溝２６の重なり代が所定範囲より小さいときには、排水性が低下するおそれがあり、第１ラグ溝２５と第２ラグ溝２６の重なり代が所定領域より大きいときには、摩耗により静粛性が低下してしまうおそれがある。また、第１ラグ溝２５からタイヤ接地端１３までの長さＬ１が短いと、陸部の剛性が高すぎて摩耗が促進されてしまう。一方、第２主溝２２から第２ラグ溝２６までの長さＬ２が短いと、摩耗時に第２ラグ溝２６が第２主溝２２に貫通してしまい、静粛性が悪化してしまう。
【００５０】
また、実施例１では、タイヤ接地幅ＴＷと、赤道面Ｏ１から第２主溝２２の外側側壁２２ａまでの長さＬ０の関係を、
０．３（ＴＷ／２）＜Ｌ０≦０．６（ＴＷ／２）
としている。従って、第２主溝２２を赤道線Ｏ１側に近づいた位置に設けることとなり、中周波ロードノイズ（２００Ｈｚ〜３００Ｈｚ）を低減することができると共に、排水性を向上することができる。
【００５１】
また、実施例１では、第２主溝２２の幅を５ｍｍ以上で２０ｍｍ以下に設定し、第１ラグ溝２５及び第２ラグ溝２６の幅を１．５ｍｍ以上で８．０ｍｍ以下に設定している。従って、第２主溝２２の幅と各ラグ溝２５，２６の幅を適正値とすることで、排水性と静粛性の両立を可能とすることができる。
【００５２】
また、実施例１では、第１ラグ溝２５及び第２ラグ溝２６をタイヤ周方向に沿ってそれぞれ４５本から９０本の範囲で設けている。従って、各ラグ溝２５，２６のピッチを適正値とすることで、静粛性を向上することができると共に、陸部の剛性の低下を抑制して耐久性を向上することができる。この場合、第１ラグ溝２５及び第２ラグ溝２６が所定本数より少ないときには、陸部の剛性が高すぎて路面からの衝撃を十分に緩和することができず、パターンノイズが悪化する。一方、第１ラグ溝２５及び第２ラグ溝２６が所定本数より多いときには、陸部の剛性が低すぎて操縦安定性が悪化する。
【実施例２】
【００５３】
図３は、本発明の実施例２に係る空気入りタイヤを表すトレッド部の平面図である。なお、前述した実施例で説明したものと同様の機能を有する部材には同一の符号を付して重複する説明は省略する。
【００５４】
実施例２において、図３に示すように、この空気入りタイヤ３１は、トレッド面に赤道線Ｏ１の両側に位置して、タイヤ周方向に沿って延びる第１主溝２１と第２主溝２２が設けられている。第２主溝２２とタイヤ接地端１３との間には、タイヤ幅方向に沿って延びる第１ラグ溝２５と第２ラグ溝３２がタイヤ周方向に交互に複数設けられている。第１ラグ溝２５は、一端部２５ａがタイヤ幅方向の最も外側に位置する第２主溝２２に連通し、他端部２５ｂがタイヤ接地端１３に連通せず、タイヤ幅方向に沿って延びると共にタイヤ周方向に湾曲した形状となっている。第２ラグ溝３２は、一端部３２ａがタイヤ幅方向の最も外側に位置する第２主溝に連通せず、他端部３２ｂがタイヤ接地端１３に連通し、タイヤ幅方向に沿って延びると共にタイヤ周方向に湾曲した形状となっている。この場合、タイヤ内側（図３にて左側）とタイヤ外側（図３にて右側）とで、第１ラグ溝２５と第２ラグ溝３２の湾曲方向が逆方向となっている。
【００５５】
そして、第１ラグ溝２５と第２ラグ溝３２の端部同士、つまり、第１ラグ溝２５の他端部２５ｂと第２ラグ溝３２の一端部３２ａがタイヤ幅方向で重なり、所定の重なり代Ｌ３が設定されている。この第１ラグ溝２５と第２ラグ溝３２の端部同士の重なり代Ｌ３は、第２主溝２２からタイヤ接地端１３までの長さＬＷの１０％以上設けられている。
【００５６】
具体的には、第１ラグ溝２５の他端部２５ｂからタイヤ接地端１３までの長さをＬ１とし、第２主溝２２から第２ラグ溝３２の一端部３２ａまでの長さをＬ２とし、第２主溝２２からタイヤ接地端１３までの長さをＬＷとするとき、第１ラグ溝２５と第２ラグ溝３２の位置は、下記に表す条件を満たす位置となっている。
０．１＜Ｌ１／ＬＷ≦０．４５
０．１＜Ｌ２／ＬＷ≦０．４５
なお、好ましくは、下記に表す条件を満たす位置となっている。
０．３＜Ｌ１／ＬＷ＜０．４
０．２＜Ｌ２／ＬＷ＜０．４
【００５７】
そして、第１ラグ溝２５の幅は、１．５ｍｍ以上で８．０ｍｍ以下に設定され、好ましくは、１．８ｍｍ以上で４．０ｍｍ以下にするとよい。一方、第２ラグ溝３２の幅は、第１ラグ溝２５の幅より大きく設定されている。具体的に、第２ラグ溝３２の幅は、第１ラグ溝２５の幅の１．２倍から２．５倍に設定され、好ましくは、１．５倍〜２．０倍にするとよい。また、第２ラグ溝３２の幅を第１ラグ溝２５の幅より大きく設定する構成を、空気入りタイヤ３１におけるタイヤ内側とタイヤ外側に適用することが望ましいが、特に、空気入りタイヤ３１におけるタイヤ外側に適用するとよい。
【００５８】
更に、第１ラグ溝２５及び第２ラグ溝３２は、タイヤ周方向に沿ってそれぞれ４５本から９０本の範囲で設けられている。
【００５９】
ここで、比較例及び実施例１と実施例２とにおける排水性（操縦安定性）と静粛性（パターンノイズの発生）について比較する。この場合、下記表２に示すように、比較例１、２の空気入りタイヤ及び実施例１の空気入りタイヤ３１は、上述した実施例１で説明したものと同様のものである。そして、実施例２の空気入りタイヤ３１は、第１ラグ溝２５の一端部が第２主溝２２に連通して他端部がタイヤ接地端１３に連通せず、第２ラグ溝３２の一端部が第２主溝２２に連通せずに他端部がタイヤ接地端１３に連通し、第１ラグ溝２５と第２ラグ溝３２に所定の重なり代があると共に、第２ラグ溝３２の幅が第１ラグ溝２５の幅より大きいものである。
【００６０】
【表２】
0004291861.tif 000003
【００６１】
比較例１、２及び実施例１と実施例２を比較してみると、実施例２の空気入りタイヤ３１は、比較例１、２の空気入りタイヤに比べて排水性及び静粛性が大幅に向上しており、実施例１の空気入りタイヤに比べて排水性が向上していることがわかる。即ち、実施例２及び実施例２−１〜実施例２−３の実験結果から、第２ラグ溝３２の幅を第１ラグ溝２５の幅より大きくし、好ましくは、第２ラグ溝３２の幅を第１ラグ溝２５の幅の１．２倍から２．５倍に設定することで、排水性及び静粛性（パターンノイズ）が大幅に向上することがわかる。
【００６２】
なお、タイヤの排水性（操縦安定性）と静粛性（パターンノイズの発生）の評価を実施するための条件及び方法は、下記のものとなっている。
１）評価タイヤサイズ
２１５／６０Ｒ１６
２）タイヤの排水性（操縦安定性）の評価方法
国産３．０リットルクラスのセダン型乗用車に本実施例のタイヤを装着し、濡れた路面を走行したとき、ドライバーが官能評価により操縦安定性について１０点満点で評価する。この場合、５人のドライバーによる評価を平均したものを評価点とする。なお、評価点が高いほど操縦安定性が優れたものとなる。
３）静粛性（パターンノイズの発生）の評価
国産３．０リットルクラスのセダン型乗用車に本実施例のタイヤを装着し、平滑な路面を６０ｋｍ／ｈで走行したとき、運転席側の窓付近で５００Ｈｚ帯の音圧レベルを指数化して評価する。なお、評価点が低いほど静粛性が優れたものとなる。
【００６３】
このように実施例２の空気入りタイヤ３１にあっては、トレッド面１２における赤道線Ｏ１の両側にタイヤ周方向に沿って延びる第１主溝２１及び第２主溝２２を設け、一端部２５ａがタイヤ幅方向の最も外側に位置する第２主溝２２に連通して他端部２５ｂがタイヤ接地端１３に連通しないタイヤ幅方向に沿って延びる第１ラグ溝２５と、一端部３２ａが第２主溝２２に連通せずに他端部３２ｂがタイヤ接地端１３に連通するタイヤ幅方向に沿って延びる第２ラグ溝３２とをタイヤ周方向に交互に複数設け、第１ラグ溝２５と第２ラグ溝３２の端部同士をタイヤ幅方向で重なる所定の重なり代を設けている。
【００６４】
従って、第２主溝２２と第１、第２ラグ溝２５，３２を設けることで、高い排水性を維持して走行安定性を向上することができると共に、第２主溝２２とタイヤ接地端１３との間にある第１ラグ溝２５と第２ラグ溝３２が途中で切れ、且つ、第１ラグ溝２５と第２ラグ溝３２に重なり代があることから、第２主溝２２で発生した気柱共鳴騒音が高周波ロードノイズ（８００Ｈｚ〜１ｋＨｚ）として複数のラグ溝２５，３２から外側に伝達されることが抑制され、騒音の発生を抑制することで静粛性を向上することができる。
【００６５】
また、実施例２の空気入りタイヤ３１では、第２ラグ溝３２の幅を第１ラグ溝２５の幅より大きく設定している。従って、第１ラグ溝２５を細くすることで、パターンノイズの悪化を抑制することができると共に、第２ラグ溝３２を太くすることで、排水性を向上することができる。この場合、第２主溝２１に近い第１ラグ溝２５を太くすると、パターンノイズが悪化し、静粛性が低下することとなり、第２主溝２１から遠く、タイヤ接地端１３側の第２ラグ溝３２を太くすることで、パターンノイズの悪化を抑制しながら、排水性を向上することができる。
【００６６】
そして、第２ラグ溝３２の幅を第１ラグ溝２５の幅より大きく設定する構成を、空気入りタイヤ３１におけるタイヤ内側とタイヤ外側に適用することが望ましいが、特に、空気入りタイヤ３１におけるタイヤ外側に適用することで、車両走行ラインの外側へ排水しやすくなり、走行安定性を向上することができる。
【００６７】
また、実施例２では、第２ラグ溝３２の幅を第１ラグ溝２５の幅の１．２倍から２．５倍に設定している。従って、第２ラグ溝３２の幅を適正値にすることで、十分な排水性を確保することができると共に、パターンノイズの悪化を抑制することができる。
【実施例３】
【００６８】
図４は、本発明の実施例３に係る空気入りタイヤを表すトレッド部の平面図である。なお、前述した実施例で説明したものと同様の機能を有する部材には同一の符号を付して重複する説明は省略する。
【００６９】
実施例３において、図４に示すように、この空気入りタイヤ４１は、トレッド面に赤道線Ｏ１の両側に位置して、タイヤ周方向に沿って延びる第１主溝２１と第２主溝２２が設けられている。第２主溝２２とタイヤ接地端１３との間には、タイヤ幅方向に沿って延びる第１ラグ溝２５と第２ラグ溝２６がタイヤ周方向に交互に複数設けられている。第１ラグ溝２５は、一端部２５ａがタイヤ幅方向の最も外側に位置する第２主溝２２に連通し、他端部２５ｂがタイヤ接地端１３に連通せず、タイヤ幅方向に沿って延びると共にタイヤ周方向に湾曲した形状となっている。第２ラグ溝２６は、一端部２６ａがタイヤ幅方向の最も外側に位置する第２主溝に連通せず、他端部２６ｂがタイヤ接地端１３に連通し、タイヤ幅方向に沿って延びると共にタイヤ周方向に湾曲した形状となっている。この場合、タイヤ内側（図４にて左側）とタイヤ外側（図４にて右側）とで、第１ラグ溝２５と第２ラグ溝２６の湾曲方向が逆方向となっている。
【００７０】
そして、第１ラグ溝２５と第２ラグ溝２６の端部同士、つまり、第１ラグ溝２５の他端部２５ｂと第２ラグ溝２６の一端部２６ａがタイヤ幅方向で重なり、所定の重なり代Ｌ３が設定されている。この第１ラグ溝２５と第２ラグ溝２６の端部同士の重なり代Ｌ３は、第２主溝２２からタイヤ接地端１３までの長さＬＷの１０％以上設けられている。
【００７１】
具体的には、第１ラグ溝２５の他端部２５ｂからタイヤ接地端１３までの長さをＬ１とし、第２主溝２２から第２ラグ溝２６の一端部２６ａまでの長さをＬ２とし、第２主溝２２からタイヤ接地端１３までの長さをＬＷとするとき、第１ラグ溝２５と第２ラグ溝２６の位置は、下記に表す条件を満たす位置となっている。
０．１＜Ｌ１／ＬＷ≦０．４５
０．１＜Ｌ２／ＬＷ≦０．４５
なお、好ましくは、下記に表す条件を満たす位置となっている。
０．３＜Ｌ１／ＬＷ＜０．４
０．２＜Ｌ２／ＬＷ＜０．４
【００７２】
そして、第１ラグ溝２５及び第２ラグ溝２６の幅は、１．５ｍｍ以上で８．０ｍｍ以下に設定され、好ましくは、１．８ｍｍ以上で４．０ｍｍ以下にするとよい。また、第１ラグ溝２５及び第２ラグ溝２６は、タイヤ周方向に沿ってそれぞれ４５本から９０本の範囲で設けられている。
【００７３】
また、本実施例の空気入りタイヤ４１は、複数の第１ラグ溝２５の他端部２５ｂとタイヤ接地端１３との間に、少なくとも一端部が第２ラグ溝２６に連通しない閉塞溝４２がタイヤ周方向に沿って設けられている。即ち、この閉塞溝４２は、第１ラグ溝２５とタイヤ接地端１３との間で、且つ、周方向に並設されている第２ラグ溝２６の間に位置しており、周方向における両端部が第２ラグ溝２６に連通していない。そして、閉塞溝４２は、長さＬ４が第２ラグ溝２６のピッチＰの３５％から７０％の範囲にあり、且つ、各端部から第２ラグ溝２６までの長さＬ５が５ｍｍ以上に設定されている。更に、閉塞溝４２からタイヤ接地端１３までの長さＬ６が５ｍｍから１５ｍｍに設定されている。
【００７４】
即ち、本実施例の空気入りタイヤ４１は、トレッド面に赤道線Ｏ１の両側に位置して第１主溝２１と第２主溝２２が設けられ、第２主溝２２の位置が、０．３（ＴＷ／２）＜Ｌ０≦０．６（ＴＷ／２）、好ましくは、０．３３（ＴＷ／２）＜Ｌ０＜０．５５（ＴＷ／２）と赤道線Ｏ１側に寄っており、第１ラグ溝２５がタイヤ接地端１３に連通せず、第２ラグ溝２６ａが第２主溝に連通していないことから、第２主溝２２よりタイヤ幅方向における外側の陸部が比較的大きなブロット体となっている。そのため、第１ラグ溝２５とタイヤ接地端１３との間で、且つ、第２ラグ溝２６の間に周方向に沿った閉塞溝４２を設けることで、陸部の剛性を低下することで、路面からトレッド面に伝わる衝撃力を緩和し、乗心地を良くしている。
【００７５】
ここで、比較例及び実施例１と実施例３とにおける乗心地と静粛性（ロードノイズの発生）について比較する。この場合、下記表３に示すように、比較例１、２の空気入りタイヤ及び実施例１の空気入りタイヤ４１は、上述した実施例１で説明したものと同様のものである。そして、実施例３の空気入りタイヤ３１は、第１ラグ溝２５の一端部が第２主溝２２に連通して他端部がタイヤ接地端１３に連通せず、第２ラグ溝３２の一端部が第２主溝２２に連通せずに他端部がタイヤ接地端１３に連通し、第１ラグ溝２５と第２ラグ溝３２に所定の重なり代があると共に、第１ラグ溝２５とタイヤ接地端１３との間に第２ラグ溝２６に連通しない閉塞溝４２を設けたものである。
【００７６】
【表３】
0004291861.tif 000004
【００７７】
比較例１、２及び実施例１と実施例２を比較してみると、実施例３の空気入りタイヤ４１は、比較例１、２の空気入りタイヤに比べて排水性及び静粛性が大幅に向上しており、実施例１の空気入りタイヤに比べて排水性が向上していることがわかる。即ち、実施例３及び実施例３−１〜実施例３−２の実験結果から、閉塞溝４２の長さを第２ラグ溝３２のピッチの３５％から７０％の範囲とし、閉塞溝４２からタイヤ接地端１３までの長さを５ｍｍから１５ｍｍに設定することで、排水性及び静粛性（パターンノイズ）が大幅に向上することがわかる。
【００７８】
なお、タイヤの排水性（操縦安定性）と静粛性（ロードノイズの発生）の評価を実施するための条件及び方法は、前述した実施例１と同様のものとなっている。
【００７９】
このように実施例３の空気入りタイヤ４１にあっては、トレッド面１２における赤道線Ｏ１の両側にタイヤ周方向に沿って延びる第１主溝２１及び第２主溝２２を設け、一端部２５ａがタイヤ幅方向の最も外側に位置する第２主溝２２に連通して他端部２５ｂがタイヤ接地端１３に連通しないタイヤ幅方向に沿って延びる第１ラグ溝２５と、一端部２６ａが第２主溝２２に連通せずに他端部２６ｂがタイヤ接地端１３に連通するタイヤ幅方向に沿って延びる第２ラグ溝２６とをタイヤ周方向に交互に複数設け、第１ラグ溝２５と第２ラグ溝２６の端部同士をタイヤ幅方向で重なる所定の重なり代を設けている。
【００８０】
従って、第２主溝２２と第１、第２ラグ溝２５，２６を設けることで、高い排水性を維持して走行安定性を向上することができると共に、第２主溝２２とタイヤ接地端１３との間にある第１ラグ溝２５と第２ラグ溝２６が途中で切れ、且つ、第１ラグ溝２５と第２ラグ溝２６に重なり代があることから、第２主溝２２で発生した気柱共鳴騒音が高周波ロードノイズ（８００Ｈｚ〜１ｋＨｚ）として複数のラグ溝２５，２６から外側に伝達されることが抑制され、騒音の発生を抑制することで静粛性を向上することができる。
【００８１】
また、実施例３の空気入りタイヤ４１では、複数の第１ラグ溝２５の他端部２５ｂとタイヤ接地端１３との間に、少なくとも一端部が第２ラグ溝２６に連通しない閉塞溝４２をタイヤ周方向に沿って設けている。従って、第２主溝２２とタイヤ接地端１３との間に形成される陸部の剛性を低下させて乗心地を良好にすることができると共に、静粛性を確保することができる。
【００８２】
また、実施例３の空気入りタイヤ４１では、閉塞溝４２の両端部が第２ラグ溝２２に連通せず、その長さを第２ラグ溝２６のピッチの３５％から７０％の範囲とし、且つ、各端部から第２ラグ溝２６までの長さを５ｍｍ以上に設定している。従って、閉塞溝４２の位置を適正位置とすることで、パターンノイズの悪化を抑制することができると共に、良好な乗心地を確保することができる。この場合、閉塞溝４２の長さが所定領域より小さいときには、良好な乗心地を確保することができず、閉塞溝４２の長さが所定領域より大きいときには、ショルダー部の曲げ剛性が低下してロードノイズが悪化する。また、閉塞溝４２の端部から第２ラグ溝２２までの長さが所定値より小さいときには、摩耗により静粛性が低下してしまう。
【００８３】
また、実施例３の空気入りタイヤ４１では、閉塞溝４２からタイヤ接地端１３までの長さを５ｍｍから１５ｍｍに設定している。従って、乗心地と静粛性の両立を可能とすることができる。この場合、閉塞溝４２からタイヤ接地端１３までの長さが所定範囲より小さいときには、ブロック剛性が高すぎて摩耗が促進してしまい、閉塞溝４２からタイヤ接地端１３までの長さが所定範囲より大きいときには、乗心地が低下してしまう。
【００８４】
なお、上述した実施例３にて、閉塞溝４２の両端部を第２ラグ溝２６に連通せずに設けたが、少なくとも一端部が第２ラグ溝２６に連通しなければよい。また、閉塞溝４２をタイヤ周方向に沿って平行に設けたが、所定の角度をもって傾斜させてもよい。
【００８５】
また、上述した各実施例の空気入りタイヤ１１，３１，４１では、各図にて、左側をタイヤ内側とし、右側をタイヤ外側としたが、タイヤ内側とタイヤ外側を逆としてもよい。また、空気入りタイヤ１１，３１，４１を赤道線Ｏ１に対して、左右非対称としたが、左右対称としてもよい。
【産業上の利用可能性】
【００８６】
以上のように、本発明に係る空気入りタイヤは、主溝とタイヤ接地端との間に連通しない第１ラグ溝及び第２ラグ溝を設けることで、高い排水性を維持して走行安定性を向上すると共に、騒音の発生を抑制して静粛性を向上するものであり、いずれの種類の空気入りタイヤに用いても好適である。
【図面の簡単な説明】
【００８７】
【図１】本発明の実施例１に係る空気入りタイヤを表すトレッド部の平面図である。
【図２】実施例１の空気入りタイヤを表す概略断面図である。
【図３】本発明の実施例２に係る空気入りタイヤを表すトレッド部の平面図である。
【図４】本発明の実施例３に係る空気入りタイヤを表すトレッド部の平面図である。
【符号の説明】
【００８８】
１１，３１，４１  空気入りタイヤ
１２  トレッド面
１３  タイヤ接地端
２１  第１主溝
２２  第２主溝
２５  第１ラグ溝
２６，３２  第２ラグ溝
４２  閉塞溝
Ｌ３  重なり代
【図１】
0004291861.tif 000005
【図２】
0004291861.tif 000006
【図３】
0004291861.tif 000007
【図４】
0004291861.tif 000008